(57)【要約】【課題】低音がはっきりと聞こえ音質のよい遊技機用コーン型スピーカユニットの取り付け構造を提供すること。【解決手段】コーン型スピーカユニット５３を発射レール基盤４２に装着し、発射レール基盤４２を取付け壁４１に装着する。この状態でスピーカユニット５３後方は第２の透孔４９のみが開口したバスレス式エンクロージャが形成される。これによって。逆相の音がスピーカユニット５３前面に回り込むことはない。また、第２の透孔４９から低音の共鳴音が出る。【選択図】        図６
2004243147.tif 000002
【特許請求の範囲】
【請求項１】
コーン型スピーカユニットを内蔵し、コーン前面から出る効果音を音響通路を通じて音響発生口に導くようにした遊技機の同スピーカユニットの取付け構造において、同スピーカユニットを前壁に装着し、同前壁と後壁との間の空間を中間壁にて包囲して同空間を外部と区画し、同スピーカユニットから後方に向かって発生する逆相の音波を遮断するようにしたことを特徴とする遊技機用コーン型スピーカユニットの取付け構造。
【請求項２】
コーン型スピーカユニットを内蔵し、コーン前面から出る効果音を音響通路を通じて音響発生口に導くようにした遊技機の同スピーカユニットの取付け構造において、同スピーカユニットを前壁に装着し、同前壁と後壁との間の空間を中間壁にて包囲して同空間を外部と区画するとともに、同スピーカユニットから後方に向かって発生する逆相の音波を同空間内にて共鳴させ同スピーカユニットとは別位置に形成した開口部から出るようにしたことを特徴とする遊技機用コーン型スピーカユニットの取付け構造。
【発明の詳細な説明】
【技術分野】
【０００１】
本発明は、興趣を盛り立てるために遊技内容に応じた効果音を発生させる遊技機用コーン型スピーカユニットを内蔵した遊技機のコーン型スピーカユニットの取付け構造に関するものである。
【背景技術】
【０００２】
遊技機の一種として、例えばパチンコ機では遊技における興趣を盛り立てるために遊技内容に応じた音楽や合成音声等の効果音が遊技機用コーン型スピーカユニットから発せられている。一般的な遊技機用コーン型スピーカユニット（以下、単にスピーカユニットとする）はパチンコ機では遊技者に音がよく聞こえるように例えば前枠内に前面寄りに内蔵される。そして、前枠前面に装着された上受け皿の音通路を通して音が聞こえるようになっている。  ところが、パチンコ機ではあくまで遊技球を打って沢山の賞球を得ることが目的であるため効果音は単に鳴ればよいという発想の下、音質は二の次とされていた。また、スピーカユニットが装着される前枠はそれほどスペース的な余裕が無い。これらのことから、従来ではスピーカユニットは他の部材と干渉しない程度に注意して取り付け板に取り付けられているに過ぎず、格別音質にこだわるような何らの工夫はされていなかった。単に取り付け板に取り付けられるということはすなわち、従来のスピーカユニットは図１４に示すようにコーン１０１の表裏が空間的に連続した平面バッフルのエンクロージャの形態といえる。エンクロージャとは一般にスピーカユニットが装着される箱体をいう。
【発明の開示】
【発明が解決しようとする課題】
【０００３】
ところで、音波の性質として高音は指向性が鋭いためコーン１０１の前方にまっすぐ出る。一方、低音はその逆で指向性が鈍いためコーン１０１の四方八方に拡散する。すなわち、平面バッフルではコーン１０１の裏側から出た低音が取り付け板の外側から表側に回り込むという現象が起こる。  図１４に示すようにコーン１０１から出る音波は表裏でいわばプラスマイナスの関係となり表側に出た音（正相）に対して裏側の音（逆相）が合わさって打ち消しあいが生ずることとなる。従って、平面バッフルのエンクロージャではこの逆相の音の回り込みによる低音の打ち消しが生ずるため低音が物足りなく感じられていた。  本発明は、このような従来の技術に存在する問題点に着目してなされたものである。その目的とするところは、低音がはっきりと聞こえ音質のよい遊技機用コーン型スピーカユニットの取り付け構造を提供することにある。
【課題を解決するための手段】
【０００４】
上記の目的を達成するために、請求項１に記載の発明では、コーン型スピーカユニットを内蔵し、コーン前面から出る効果音を音響通路を通じて音響発生口に導くようにした遊技機の同スピーカユニットの取付け構造において、同スピーカユニットを前壁に装着し、同前壁と後壁との間の空間を中間壁にて包囲して同空間を外部と区画し、同スピーカユニットから後方に向かって発生する逆相の音波を遮断するようにしたことをその要旨とする。  このように構成すると、コーン型スピーカユニットのコーンの裏面側に出た逆相の低音は前壁側に回り込むことができず、正相の低音と打ち消し合うことがない。  
【０００５】
請求項２に記載の発明では、コーン型スピーカユニットを内蔵し、コーン前面から出る効果音を音響通路を通じて音響発生口に導くようにした遊技機の同スピーカユニットの取付け構造において、同スピーカユニットを前壁に装着し、同前壁と後壁との間の空間を中間壁にて包囲して同空間を外部と区画するとともに、同スピーカユニットから後方に向かって発生する逆相の音波を同空間内にて共鳴させ同スピーカユニットとは別位置に形成した開口部から出るようにしたことをその要旨とする。  このように構成すると、コーン型スピーカユニットのコーンの裏面側に出た逆相の低音は前壁側に回り込むことができず、正相の低音と打ち消し合うことがなく、更に空間内で共鳴しながら誘導されて別位置から出る。そのため正相の音に更に強化された共鳴音が加わる。
【発明の効果】
【０００６】
請求項１の発明では、低音が打ち消されることがなくなり、はっきりと低音が聴こえ効果音の音質がよくなるため遊技の興趣が増す。  請求項２の発明では、低音が打ち消されることがなくなり、はっきりと低音が聴こえることに加え、低音が強化されてより響くため更に音質がよくなり遊技の興趣が増す。
【発明を実施するための最良の形態】
【０００７】
以下、本発明をパチンコ機に応用した実施の形態について図面に基づいて説明する。まず、パチンコ機の構造の概略を説明する。尚、以下の説明で前面側或いは表面側とは遊技者が正対する側をいい、背面側或いは裏面側とはその反対側をいうものとする。また、左右とは遊技者側から見ての左右方向をいう。  図１に示すように、パチンコ機は外枠１と前枠２を備えている。外枠１は木製の上下及び左右枠板１ａ〜１ｄによって額縁形状に構成されている。下枠板１ｂ上には前枠２が載置される幕板３が形成されている。この外枠１を支持架構として前枠２が取り付けられている。前枠２は外枠１の左枠板１ｄの上下位置に形成されたヒンジ金具４ａ，４ｂによって片持ち支持され、同外枠１に対して開閉可能とされている。図３に示すように、前枠２は上及び左右枠板２ａ〜２ｃと下部カバープレート取付け板５によって額縁状に構成された合成樹脂製の板状体とされている。前枠２の中央には開口部６が形成されている。同開口部６の下側は発射レール取付け領域７とされている。図１及び図２に示すように、上及び左右枠板２ａ〜２ｃの表面には装飾プレート９が貼着されている。  
【０００８】
図４に示すように、前枠２には機構盤８が装着されている。機構盤８は前枠２の後方に外枠１に包囲されるように配設され、前枠２の開放によって裏面側が露出するようになっている。機構盤８の裏面側に球タンク１１、樋ユニット１２、賞球放出装置１３、入賞球処理装置１４、制御装置１５、遊技球発射装置１６、図柄表示装置ユニット１７等の遊技に必須の各種機構が配設されている。前記開口部６の位置には遊技盤１０が装着されている。遊技盤１０は遊技球を導くガイドレール１８によって包囲されたほぼ円形の遊技領域Ｐを有する。遊技領域Ｐ内には風車１９、普通入賞口２０、始動入賞口２１、大当たり入賞口２２、通過ゲート２３、表示装置２４等が所定位置に配設されている。尚、遊技領域Ｐに打ち込まれた遊技球の障害物となる釘については図示を省略する。  遊技盤１０の前面はガラス扉２６によって覆われている。ガラス扉２６は前枠２の左枠板２ｂのガラス扉２６上下幅に対応した位置に形成されたヒンジ金具（図示せず）によって片持ち支持され前枠２に対して開閉可能とされている。  
【０００９】
遊技盤１０の下方には上部カバープレート２８が装着されている。上部カバープレート２８は前記発射レール取付け領域７を覆っている。上部カバープレート２８は前枠２の左枠板２ｂに形成された図示しないヒンジ金具によって片持ち支持され前枠２に対して開閉可能とされている。  上部カバープレート２８は前方に突出した上受け皿２９を有している。図２及び図８に示すように、同上受け皿２９の内部左側方には第１の音響通路３０が形成されている。第１の音響通路３０は同上受け皿２９前面に開口された第１の音響発生口３１に連通されるともに背面板２７に開口されている。図２及び図９に示すように、同上受け皿２９の内部右側方には第２の音響通路３２が形成されている。第２の音響通路３２は同上受け皿２９前面に開口された第２の音響発生口３３に連通されるともに背面板２７に開口されている。その結果、両音響発生口３１，３３はパチンコ機に正対した遊技者方向に向くこととなる。上部カバープレート２８の背面板２７には賞球を導く賞球排出樋３４が後方に向かって突出形成されている。  上部カバープレート２８の下方には下部カバープレート３６が下部カバープレート取付け板５の前面に固着されている。下部カバープレート３６は前方に突出した下受け皿３７を有している。下受け皿３７の右側方には操作ハンドル３８が取付けられている。  
【００１０】
次に、発射レール取付け領域７の構造について詳述する。  図３及び図６に示すように、発射レール取付け領域７には後壁としての取付け壁４１が形成されている。取付け壁４１は前記下部カバープレート取付け板５に対して階段状に形成された棚４０の後方位置に立設され、開口部６の横幅とほぼ同幅に形成された横長の壁状体とされている。取付け壁４１上部には前方に張り出す庇板部３９が形成されている。取付け壁４１の左上方寄りには前記賞球排出樋３４が連結される賞球排出口４３が形成され、ほぼ中央には遊技球排出口４４が形成されている。取付け壁４１前面には縦横に補強リブ４５が突出形成されている。取付け壁４１の上下縁寄りには所定間隔で補強突起４６が突出形成されている（図示されているのは下縁寄りのみ）。図１０に示すように、補強突起４６は補強リブ４５よりも前方への突出量が大きくなるように形成されている。  取付け壁４１前面には発射レール基盤４２が装着されている。図８及び図１０に示すように、発射レール基盤４２は装着状態で補強突起４６に当接させられ、取付け壁４１との間に発射レール基盤４２、取付け壁４１、棚４０及び庇板部３９により包囲された第１の空隙ｅ１が形成される。このとき、補強突起４６は補強リブ４５よりも前方への突出量が大きいため、この第１の空隙ｅ１が補強リブ４５によって小部屋に仕切られてしまうことがない。  
【００１１】
図５〜図７に示すように、発射レール基盤４２は横長平面の前面壁４２ａを有し、同前面壁４２ａの前面には発射レール４７が装着されている。同前面壁４２ａの左半面には略長方形の大型の第１の透孔４８が形成されている。発射レール基盤４２の前面側であって同第１の透孔４８の周縁には取付枠板５０が形成されている。取付枠板５０にはスピーカユニット取付基盤５２が装着されている。スピーカユニット取付基盤５２は前面壁５２ａと外枠５２ｂとより構成されており、前面壁５２ａに
形成された取付孔５１には周知のスピーカユニット５３が取着されている。スピーカユニット５３はセンターキャップ一体型コーン５４、エッジ５５、取付フレーム５６等より構成され取付フレーム５６内には図示しないボイスコイル、マグネット、ダンパー等が封入されている。スピーカユニット取付基盤５２の外枠５２ｂは前記取付枠板５０に前端に当接されて所定位置に形成されたボルト固定体５９に図示しないボルトを螺合させることにより固定されている。図１０に示すように、スピーカユニット取付基盤５２が取付枠板５０に装着された状態で同取付基盤５２の前面壁５２ａと外枠５２ｂ及び取付枠板５０とにより包囲された第２の空隙ｅ２が形成される。発射レール基盤４２にスピーカユニット取付基盤５２が装着された状態でスピーカユニット５３のコーン５４は前記上部カバープレート２８の第１の音響通路３０に面する。  
【００１２】
発射レール４７の下部には開口部としての第２の透孔４９が形成されている。図７及び図９に示すように、発射レール基盤４２の裏面側であって同第２の透孔４９の周縁にはダクト５７が形成されている。発射レール基盤４２にスピーカユニット取付基盤５２が装着された状態で第２の透孔４９は前記上部カバープレート２８の第２の音響通路３２に面する。  図７に示すように、発射レール基盤４２の裏面側には同発射レール基盤４２の外形形状にほぼ沿うように外枠４２ｂが突出形成されている。外枠４２ｂの途中には同外枠４２ｂを途中で分断するように区画壁部６２が形成されている。区画壁部６２は発射レール基盤４２の裏面空間と空間的に遊技球排出口４４を区画するために配置されている。外枠４２ｂ、発射レール基盤４２の一部裏面部分及び区画壁部６２の後端面にはシーリング部材としての合成ゴム製のパッキン６３が装着されている。パッキン６３は発射レール基盤４２と取付け壁４１との間に介在されて両者の接合部分のシールをする。取付け壁４１、発射レール基盤４２及びスピーカユニット取付基盤５２間は図示しないボルトを所定位置に形成されたボルト固定体５９に螺合させることによって固定されている。  図１０に示すように、発射レール基盤４２が取付け壁４１に装着された状態で発射レール基盤４２と取付け壁４１間には前記第１及び第２の空隙ｅ１，ｅ２を合わせた空間Ｅが形成される。図１１に図１０を省略した概念図を示す。この空間Ｅは第２の透孔４９のみが開口した外部と区画された空間となる。すなわち、本実施の形態のスピーカユニット５３は発射レール基盤４２、取付け壁４１、棚４０、庇板部３９及びスピーカユニット取付基盤５２等により包囲されて区画されたエンクロージャＥｎを形成する。  
【００１３】
本実施の形態のエンクロージャＥｎはスピーカユニット５３から内部空間Ｅ側に出る逆相の音を利用した共鳴音（主として低音部）を第２の透孔４９から出すようにしたバスレフ型エンクロージャとされる。すなわち、図１１に示すように、スピーカユニット５３前方にはコーン５４から正相の音が出、後方の空間Ｅ側には逆相の音が出る。そして、逆相の音のうち指向性の鈍い主として低音部が拡散してエンクロージャＥｎ内部とダクト５７により共鳴させられ、その共鳴音が第２の透孔４９から発生させられる。  本実施の形態においては発射レール基盤４２の前面壁４２ａとスピーカユニット取付基盤５２の前面壁５２ａが前壁に相当し、棚４０、庇板部３９のそれぞれ一部と発射レール基盤４２の外枠４２ｂ、取付枠板５０及びスピーカユニット取付基盤５２の外枠５２ｂが中間壁に相当し、取付け壁４１が後壁に相当する。  
【００１４】
バスレフ型エンクロージャＥｎではバスレフ、すなわち第２の透孔４９の開口面積とダクト５７の長さを適切に設計しなければならない。また、バスレフ設計の前提としてエンクロージャＥｎの容積も求める必要がある。これらの設計が適切でない場合には第２の透孔９８から十分低音が再生されないこととなる。  具体的にバスレフ型エンクロージャＥｎの設計においては計算要素として、最低共振周波数（ｆo）、チューニング周波数（ｆｂ）、振動系の実効質量（Ｍo）、等価的なＱ（Ｑo）、スチフネス（Ｓo，Ｓｃ）、実効振動半径（ａ）を設定する必要がある。  ここに、ｆoは周波数によって変化する要素でこのｆoが低いほど低音再生には有利となる。但し、低音再生にはこのｆoのみではなくＭoやＱoも関係する。ｆｂはＱoの値に応じて補正したｆoである。Ｍoは振動系の質量であり、Ｍoが大きいといわゆるウーハーとなって低音が出やすくなる。Ｑoはスピーカユニット５３の低音特性を決定する要素である。Ｑoが小さいほどダンピングがよくなる。ＱoはエンクロージャＥｎの形式によってその値がほぼ決まっている。Ｓoはスピーカユニット５３の固さを表す等価スチフネスであり、Ｓｃはキャビネット、すなわち発射レール基盤４２及び取付け壁４１の固さを表す等価スチフネスである。ＳoとＳｃの比をαで表す。スチフネスとはばね強さのことである。ａはエッジ５５部分を除くコーン５４が振動する半径であって、通常２．４〜２３ｃｍの間である。  ここに空間ＥがエンクロージャＥｎの内容積Ｖとされ、Ｖ＝３５５×ａ 4 ／α×ｆo 2 ×Ｍoで計算される。また、第１の透孔４８の開口面積Ｓは、Ｓ＝（π×ａ 2 ）×０．２〜１．０で計算される。また、ダクト５７の長さＬはＬ＝（３０００×Ｓ／ｆｂ 2 ×Ｖ）×０．２８５×Ｓ 1/2 で計算される。本実施の形態では上記各式に基づいてエンクロージャＥｎの内容積Ｖ、第１の透孔４８の開口面積Ｓ及びダクト５７の長さＬが設計されて構成されている。  
【００１５】
次にこのように構成したパチンコ機においてスピーカユニット５３の作用について説明する。  図示しないアンプ装置から音声電流が供給されることで、スピーカユニット５３のコーン５４が振動させられて音が発生する。コーン５４前面より前方に向かって正相の音（音波）が出、その音は発射レール基盤４２前面を覆っている上部カバープレート２８の第１の音響通路３０を通じて第１の音響発生口３１から遊技者方向に向かって発せられる。一方、コーン５４が振動すると同時にスピーカユニット５３後方に向かって逆相の音（音波）が出る。この逆相の音のうち特に低音部はスピーカユニット５３後方に拡散し、拡散した共鳴音は空間Ｅを伝搬されてダクト５７にて共鳴しつつ第２の透孔４９から前方に向かって発せられる。更にその音は発射レール基盤４２前面を覆っている上部カバープレート２８の第２の音響通路３２を通じて第２の音響発生口３３から遊技者方向に向かって発せられる。逆相の音はスピーカユニット５３の前面側に回り込む隙間がないため正相の音と打ち消し合うことはない。  
【００１６】
このように構成することにより本実施の形態は次のような効果を奏する。  ・遊技者は第１の音響発生口３１から低音部がうち消されていない音声を聴き取ることができるとともに、第２の音響発生口３３から主として低音部の共鳴音を聴き取ることができる。そのため、低音部がうち消されていないボリューム感のある効果音を聴き取ることができるとともに、第２の音響発生口３３からさらに低音部の増強された効果音が追加されるため従来のように低音部の貧弱な効果音ではなく格段に音質のよい効果音を鳴らすことが可能となる。  ・スペースの限られたパチンコ機においてエンクロージャＥｎを横長として容積をかせぐようにしたため、前後方向に場所をとることがなくなり嵩張らないエンクロージャＥｎを提供することが可能とした。  ・発射レール基盤４２の直前に上部カバープレート２８が配置され、スピーカユニット５３のコーン５４は第１の音響通路３０に面しており、第２の透孔４９は第２の音響通路３２に面している。従って、発生した音がストレートに第１の音響発生口３１及び第２の音響発生口３３内に伝搬されるため、発生した音が減衰しにくくなっている。  
【００１７】
・発射レール基盤４２と取付け壁４１とはパッキン６３を介在して当接させられ、内部空間Ｅは高い密閉性を有している。従って逆相の音がスピーカユニット５３の前面側に回り込む余地が全くない。  ・スピーカユニット５３はスピーカユニット取付基盤５２の前面壁５２ａに装着されており、このスピーカユニット取付基盤５２は発射レール基盤４２に対してボルトにて固定されている。従って、スピーカユニット５３に不具合が生じた場合でもスピーカユニット取付基盤５２だけを取り外せばよく、発射レール基盤４２を取り外す必要がないため、作業能率が向上する。  ・発射レール基盤４２は装着状態で上下横方向に並んだ補強突起４６に当接させられているため、発射レール基盤４２の剛性が向上し、撓んだり歪んだりすることが少なくなる。  
【００１８】
尚、この発明は、次のように変更して具体化することも可能である。  ・上記実施の形態ではダクト５７を設けて逆相の音を共鳴させるようにしていた。しかし、上記実施の形態の設計はバスレフ型エンクロージャとしてもっとも一般的なダクト構造であり、例えば図１２に示すように第２のダクト７１を途中に設けるようにしてもよい。このようにすることでより低音部の増強を図ることが可能となる。また、このような途中にダクトを配置する場合には設計によって正相側の音の強化ともなる。  ・また、上記実施の形態ではダクト５７を設けるように構成していたが、図１３に示すように必ずしもダクト５７を設けなくともよい。ダクト５７があれば低音部の増強を図ることが可能であるが、そのような効果がなくとも、逆相の音がスピーカユニット５３前面側に回り込んで正相の音と打ち消し合うことがなくなるため従来に比べ十分音質の向上を図ることが可能だからである。  ・上記実施の形態では１つのスピーカユニット５３を有するパチンコ機について例として挙げたが、２つ以上のスピーカユニットを有する機種に応用することも可能である。  ・本実施の形態ではスペース上の制限からエンクロージャＥｎを形成する前壁、中間壁及び後壁は複数の構成部品同士を組合わすようにして構築するようにしていた。しかし、スペースの余裕があればこのような複雑な形状のエンクロージャＥｎでなくシンプルな前壁、中間壁及び後壁によって例えば直方体形状のエンクロージャＥｎを構築するようにしてももちろん構わない。  ・本発明はスピーカユニットを備えていればパチンコ機以外にもスロットマシン、アレパチ、アレンジボール等の遊技機にも応用可能である。その他、本発明の趣旨を逸脱しない態様で実施することは自由である。  
【００１９】
上記実施の形態から把握できる本発明のその他の技術的思想について下記に説明する。  （１）  遊技機は弾球遊技機であって、同弾球遊技機は外枠と同外枠を支持架構として装着された前枠とを有し、前記コーン型スピーカユニットは同前枠側に装着されていることを特徴とする請求項１又は２の遊技機用コーン型スピーカユニットの取付け構造。  （２）  前枠の前面には球受け皿を有するカバープレートが着脱可能に設けられるとともに、前記スピーカユニットが装着された前壁は同カバープレート背面に配置され、同カバープレート内の音響通路を通じて同カバープレート前面に形成された音響発生口から音波を出すようにしたことを特徴とする請求項１又は付記１に記載の遊技機用コーン型スピーカユニットの取付け構造。  （３）  前枠の前面には球受け皿を有するカバープレートが着脱可能に設けられるとともに、前記スピーカユニットが装着された前壁は同カバープレート背面に配置され、同カバープレート内の第１の音響通路を通じて同カバープレート前面に形成された第１の音響発生口から正相の音波を出すようにするとともに、同カバープレート内の第２の音響通路を通じて同カバープレート前面に形成された第２の音響発生口から逆相の音波による共鳴音を出すようにしたことを特徴とする請求項２又は付記１に記載の遊技機用コーン型スピーカユニットの取付け構造。  （４）  前枠の前面には球受け皿を有するカバープレートが着脱可能に設けられるとともに、前記スピーカユニットは同カバープレートの取り付け壁に装着され、同球受け皿が同前枠に装着された状態で同取り付け壁が同前枠に形成された前記後壁と中間
壁と組み合わさって外部と区画された空間を構成するようにしたことを特徴とする請求項１、２又は付記１〜３に記載の遊技機用コーン型スピーカユニットの取付け構造。  （５）  前枠の前面には球受け皿を有するカバープレートが着脱可能に設けられるとともに、前記スピーカユニットは同カバープレートの取り付け壁に装着され、同球受け皿が同前枠に装着された状態で同取り付け壁が同前枠に形成された前記後壁と中間壁と組み合わさって外部と区画された空間を構成し、同スピーカユニットから後方に向かって発生する逆相の音波を中間壁或いは後壁から側方に向かって形成したダクト構造によって前壁に誘導するようにしたことを特徴とする請求項１、２又は付記１〜４に記載の遊技機用コーン型スピーカユニットの取付け構造。  （６）コーン前面と開口部とは同一平面上に配置されることを特徴とする請求項１、２又は付記１〜５に記載の遊技機用コーン型スピーカユニットの取付け構造
【図面の簡単な説明】
【００２０】
【図１】本発明の実施の形態のパチンコ機の外観を説明する斜視図。
【図２】同じく正面図。
【図３】同じパチンコ機の前枠の斜視図。
【図４】同じパチンコ機の背面図。
【図５】同じパチンコ機の発射レール取付け領域に発射レール基盤、スピーカユニット取付基盤及びスピーカユニットを装着した部分拡大斜視図。
【図６】同じパチンコ機の発射レール取付け領域に発射レール基盤、スピーカユニット取付基盤及びスピーカユニットを装着する際の分解斜視図。
【図７】同じパチンコ機のスピーカユニット取付基盤の背面斜視図。
【図８】同じパチンコ機のスピーカユニット位置における部分断面図。
【図９】同じパチンコ機の第２の透孔位置における部分断面図。
【図１０】同じパチンコ機の図７のＡ−Ａ線での断面図。
【図１１】スピーカユニットから発生する音の流れを説明する概略図。
【図１２】他の実施の形態のスピーカユニットから発生する音の流れを説明する概略図。
【図１３】他の実施の形態のスピーカユニットから発生する音の流れを説明する概略図。
【図１４】従来のスピーカユニットから発生する音の流れを説明する概略図。
【符号の説明】
【００２１】
７…発射レール取付け領域、３０…第１の音響通路、３１…第１の音響発生口、３２…第２の音響通路、３３…第２の音響発生口、３９…中間壁としての庇板部、４０…中間壁としての棚、４１…後壁としての取付け壁、４２ａ…前壁としての前面壁、４２ｂ…中間壁としての外枠、４９…開口部としての第２の透孔、５２ａ…前壁としての前面壁、５２ｂ…中間壁としての外枠、５３…スピーカユニット。
【図１】
2004243147.tif 000003
【図２】
2004243147.tif 000004
【図３】
2004243147.tif 000005
【図４】
2004243147.tif 000006
【図５】
2004243147.tif 000007
【図６】
2004243147.tif 000008
【図７】
2004243147.tif 000009
【図８】
2004243147.tif 000010
【図９】
2004243147.tif 000011
【図１０】
2004243147.tif 000012
【図１１】
2004243147.tif 000013
【図１２】
2004243147.tif 000014
【図１３】
2004243147.tif 000015
【図１４】
2004243147.tif 000016